(57)【特許請求の範囲】
【請求項１】
下向きに狭まるテーパ状の内面を備えた外固定枠と、
前記外固定枠のテーパ状の内面に配置された弾性シートと、
前記弾性シートの表面に沿って配置され、前記弾性シート側の面に長さ方向に沿って幅方向の中間位置に突条を形成した羽根板と、
前記羽根板の内面に沿って配置された断面がくさび状の押え枠とを備え、
前記外固定枠内に配置した弾性シートの内面に軟質シート製の袋の開口部を介在させ、さらに羽根板を配置した上、前記押え枠をくさび状に押し込むことにより、前記羽根板の突条が前記袋を介して弾性シートにかみ合い、前記袋の開口部を確実に密閉するようにしたことを特徴する袋止め用クリップ。
【請求項２】
前記外固定枠は、一方の端部に前記押え枠が回動可能に軸着されていることを特徴とする請求項１に記載の袋止め用クリップ。
【請求項３】
前記押え枠は、その厚肉部分の両側に長さ方向に沿ってリブを突設されていることを特徴とする請求項１または２に記載の袋止め用クリップ。
【請求項４】
前記羽根板は、前記外固定枠のどちらかの端部に回動可能に軸着され、かつ押え枠側の上端部分に押え枠用の外向きに拡がるガイド片が設けられていることを特徴とする請求項１ないし３のいずれかに記載の袋止め用クリップ。
【請求項５】
前記羽根板は、弾性シート側の面に長さ方向に沿って幅方向の中間位置に形成した突条が、Ｖ字状断面を備えていることを特徴とする請求項１ないし４のいずれかに記載の袋止め用クリップ。
【発明の詳細な説明】
【技術分野】
【０００１】
本発明は、食品等を収納するためのプラスチックフィルム製の袋の開口部をシールするための袋止め用クリップであり、特に粉末状の食品やその他の物品を空気に触れさせないで保存するのに適している。
【背景技術】
【０００２】
従来から、食品が入ったプラスチックフィルム製の袋の開口部をシールするクリップが市販されており、簡単に使用できるために広く普及している。
例えば特開２０１２−１９２９８２号公報（特許文献１参照）においてクリップは、棒状で断面がＵ字状の溝を有する第１の支持部材、該第１の支持部材に回動自在に取り付けられ該溝に嵌合する嵌合部材、および棒状で断面がコの字状の溝を有する第２の支持部材から構成され、該第２の支持部材が該第１の支持部材に回動自在に取り付けられており、レトルト袋を所望の位置で第１の支持部材と該嵌合部材で挟んで嵌合することによりシールし、その後にクリップから出ているレトルト袋の部分を切り取り、その状態で第１の支持部材を第２の支持部材の断面がコの字状の溝に嵌合させて、レトルト食品の残りを空気に触れない様に安定的にシールして保存するようにしてある。
【０００３】
実用新案登録第３１３１８４４号公報（特許文献２参照）において袋用口止め具は、端部に設けた回転部を中心に開閉する２つの桿状部材からなり、該桿状部材の他端には開閉操作を行うリング状把手が各々設けられてなり、前記桿状部材の一方は回転部とリング状把手との間に桿部をなす凸状部材を形成し、他方の桿状部材は回転部とリング状把手との間に、前記桿部に対応しこれを収納する溝を備えた嵌合部を設けた凹状部材を形成してある。
【０００４】
特開２００３−３２１０３６号公報（特許文献３参照）において閉じ具は、ブレード部材とトラフ部材とを備えており、両者がヒンジストラップで結合されている。ブレード部材及びトラフ部材は、それぞれ、比較的硬い第一プラスチックからなる第一部分（第三部分）及び比較的柔らかい第二プラスチックからなる第二部分（第四部分）を備えており、第一部分及び第二部分は一体成形されており、ブレード部材において、第一部分は楔形部材であり、第二部分は外部部分であり、トラフ部材において、第一部分は内部チャネルであり、第二部分は外部スキンである。
【０００５】
実用新案登録第３１３６３７７号公報（特許文献４参照）において袋用クリップは、凸部を有する長手形状の本体と、この本体に回動自在に支持され、凸部に嵌まる凹部を有する長手形状の操作部材とを備え、凸部と凹部との間に、封が切られた袋の出入り部を挟持する袋用クリップであって、凸部は、本体の長手方向に沿って設けられ、凸部の頂部には、本体の長手方向に沿う長手形状の開口部が設けられ、この長手形状の開口部の長手方向は、本体１の長手方向に沿う形状である。
【０００６】
実用新案登録第３１６４９４７号公報（特許文献５参照）において包装袋用閉じ具は、適当長さに成る載受材の先端に設けた模様突起部の半部材の内側部分を載受杆の内側部と一体の凹形状に形成する。上記の載受材の基端部の左右両側に突軸を設け、適当長さに成る嵌合材の先端に設けた模様突起部の半部材の内側部分を嵌合材の内側部と一体の凹形状に形成する。上記の嵌合材の基端に外部に水平に突設した摘み片を設け、この摘み片の内側の凹形状部の左右両側に通孔を設け、前記載受材を嵌合材の内側の凹形状部内に嵌合したとき、載受材基端部の左右突軸を前記嵌合材基端部の左右通孔に枢着し、この突軸と通孔とを支点に載受材に対し嵌合材を開閉し得るようにしてある。
【０００７】
実用新案登録第３１６９８１４号公報（特許文献６参照）において袋止め用クリップは、本体部材と操作部材とからなり、操作部材は本体部材に対して回動可能であり、かつ、本体部材に対して係止可能である。本体部材は凸形状を有する縦断面を有しており、操作部材は凸形状に対応する凹形状を有しており、凸形状と凹形状とは、操作部材を本体部材に対して係止させた状態において本体部材と操作部材との間に隙間が形成される位置関係にある。
【先行技術文献】
【特許文献】
【０００８】
【特許文献１】特開２０１２−１９２９８２号公報
【特許文献２】実用新案登録第３１３１８４４号公報
【特許文献３】特開２００３−３２１０３６号公報
【特許文献４】実用新案登録第３１３６３７７号公報
【特許文献５】実用新案登録第３１６４９４７号公報
【特許文献６】実用新案登録第３１６９８１４号公報
【発明の概要】
【発明が解決しようとする課題】
【０００９】
しかし、前記従来の各クリップは凹状部材と凸状部材の組合せからなり、その間に袋の開口部を介在させた状態で凹状部材に凸状部材をはめ込むようにしたものであり、袋の開口部の気密性の保持の面で充分なものとはいえず、長期間の保存中に袋内に外気が入り込んで内容物が酸化あるいは変質してしまうという問題があった。
また、実用新案登録第３１３１８４４号公報（特許文献２参照）における袋用口止め具においては、凸状部材をＩ型としてその下部の段差が凹状部材の内壁に設けた突条に係合し、袋の開口部を前記段差に沿って折れ曲がるようにして閉じるようにしている。
しかしながら上記の工夫にも係らず、袋の開口部の気密性の保持の面ではいまだ充分なものとはいえず、長期間の保存中に袋内に外気が入り込んで内容物が酸化あるいは変質してしまうという問題は解消されていない。
【００１０】
本発明はこの問題を解決するために創意工夫されたものであって、紙袋やプラスチックフィルム製袋等の、とりわけ粉末状の食品やその他の物品を空気に触れさせないで保存するのに適した袋止め用クリップを提供することを目的とするものである。
【課題を解決するための手段】
【００１１】
すなわちこの発明の袋止め用クリップは、下向きに狭まるテーパ状の内面を備えた外固定枠と、
前記外固定枠のテーパ状の内面に配置された弾性シートと、
前記弾性シートの表面に沿って配置され、前記弾性シート側の面に長さ方向に沿って幅方向の中間位置に突条を形成した羽根板と、
前記羽根板の内面に沿って配置された断面がくさび状の押え枠とを備え、
前記外固定枠内に配置した弾性シートの内面に軟質シート製の袋の開口部を介在させ、さらに羽根板を配置した上、前記押え枠をくさび状に押し込むことにより、前記羽根板の突条が前記袋を介して弾性シートにかみ合い、前記袋の開口部を確実に密閉するようにしたことを特徴するものである。
【００１２】
この発明の袋止め用クリップにおいて、前記外固定枠は、一方の端部に前記押え枠が回動可能に軸着されていることをも特徴とするものである。
【００１３】
この発明の袋止め用クリップにおいて、前記押え枠は、その厚肉部分の両側に長さ方向に沿ってリブを突設されていることをも特徴とするものである。
【００１４】
この発明の袋止め用クリップにおいて、前記羽根板は、前記外固定枠のどちらかの端部に回動可能に軸着され、かつ押え枠側の上端部分に押え枠用の外向きに拡がるガイド片が設けられていることをも特徴とするものである。
【００１５】
この発明の袋止め用クリップにおいて、前記羽根板は、弾性シート側の面に長さ方向に沿って幅方向の中間位置に形成した突条が、Ｖ字状断面を備えていることをも特徴とするものである。
【発明の効果】
【００１６】
本発明に係るクリップを用いることよって、前記外固定枠の内面に配置された弾性シートと、前記羽根板の長さ方向に沿って幅方向の中間位置に形成した突条とがかみ合うことにより、プラスチックフィルム製袋や紙袋を確実に長期に亘って安定的にシールすることが可能となる。
特に粉末状の食品やその他の物品に使用する場合には、空気の混入を防ぎながら粉末状の食品等の一部を必要量だけ取り出して、残りを空気に触れさせることなく安定的に保存を継続することができる。
【図面の簡単な説明】
【００１７】
【図１】本発明に係る袋止め用クリップの一実施例を説明する結合前の状態の概略断面図である。
【図２】前記弾性シートと羽根板との間に袋の開口部をセットした状態の概略断面図である。
【図３】左右の羽根板間に押え枠を押し込もうとする状態の概略断面図である。
【図４】左右の羽根板間に押え枠を押し込んだ状態の概略断面図である。
【図５】結合状態の概略断面図である。
【図６】分解状態の概略斜視図である。
【図７】前記外固定枠に袋の開口部を取り付ける状態の概略斜視図である。
【図８】前記外固定枠に袋の開口部を介して羽根板を取り付ける状態の概略斜視図である。
【図９】前記外固定枠に袋の開口部を介して羽根板を取り付けた状態の概略斜視図である。
【図１０】前記羽根板間にさらに押え枠を押し込む状態の概略斜視図である。
【図１１】前記羽根板間に押え枠を押し込んだ状態の概略斜視図である。
【図１２】前記押え枠と前記外固定枠の外面との間に差し渡したコ字状の中間止め金具により、前記押え枠の変形を防止しようとする状態の概略断面図である。
【図１３】前記押え枠と前記外固定枠の外面との間にコ字状の中間止め金具を差し渡した状態の概略断面図である。
【図１４】前記押え枠と前記外固定枠の外面との間に差し渡したコ字状の中間止め金具により、前記押え枠の変形を防止しようとする状態の概略斜視図である。
【図１５】前記押え枠と前記外固定枠の外面との間にコ字状の中間止め金具を差し渡した状態の概略斜視図である。
【図１６】前記外固定枠への押え枠と羽根板との取付方向を説明するためのもので、両者を互いに異なる端部の側に取り付けた場合を示す概略斜視図である。
【図１７】両者を互いに同一端部の側に取り付けた場合を示す概略斜視図である。
【発明を実施するための形態】
【００１８】
図１ないし図１１は本発明の袋止め用クリップの一実施例を示すものである。
この実施例の袋止め用クリップ３１は、図１ないし図５に示すように、下向きに狭まるテーパ状の内面を備えた外固定枠３２を備えている。該外固定枠３２には底面から左右一対の下向きフランジ３２ａが垂設されている。
前記外固定枠３２のテーパ状の内面には弾性シート３３が配設される。この弾性シート３３は一定の肉厚を有し、かつ適宜の反発力を備えていて後述の突条３５と密着するものであることが望ましい。
３４は、前記弾性シート３３の表面に沿って左右に一対配置され、前記弾性シート３３側の面に長さ方向に沿って幅方向の中間位置に突条３５を形成した羽根板である。
また袋止め用クリップ３１は、前記羽根板３４の内面に沿って配置された断面がくさび状の押え枠３７を備えている。図において３６は、羽根板３４の先端上部に形成したガイド片であり、前記押え枠３７を羽根板３４内に導くためのものである。
【００１９】
断面がくさび状の前記押え枠３７は、先端の薄肉部分３７ａから徐々に厚肉になるようテーパ状に形成されており、かつその厚肉部分３７ｂの両側に長さ方向に沿ってリブ３７ｃが突設されている。
このリブ３７ｃを形成したことにより、前記羽根板３４の間に前記押え枠３７をくさび状に押し込んで、前記外固定枠３２内に収納する際に生じやすかった、前記押え枠３７が中央部分で後方へ膨らむように変形するという問題が解消され、袋の開口部の閉止という基本的な機能が確実に達成できるようになった。
また前記リブ３７ｃの下側端面で羽根板３４を押さえつけることができるため、羽根板３４が開く方向に負荷がかかっても羽根板３４が緩んだり、さらには外れたりするのを防止することができる。
【００２０】
図６ないし図１１はその使用状態を示す斜視図である。
まず、図６に示すように予め前記外固定枠３２のテーパ状の内面に沿って弾性シート３３を配置しておく。
その上で、図７に示すように該弾性シート３３の内面に軟質シート製の袋２１の開口部をはめ込む。
そして、図８に示すように前記羽根板３４を袋２１の開口部の上からはめ込み、図９に示すように前記外固定枠３２内に収納する。
次いで、図１０に示すように前記羽根板３４の間にガイド片３６でガイドしつつ、前記押え枠３７をくさび状に押し込むことにより、図１１に示すように前記押え枠３７は前記外固定枠３２内に確実に収納される。
【００２１】
このように操作することにより、図４および図５に示すように前記押え枠３７によって押し込まれた前記羽根板３４の突条３５が、前記袋２１を介して弾性シート３３にかみ合い、前記袋２１の開口部を確実に密閉する。
なお前記羽根板３４の、弾性シート３３側の面に長さ方向に沿って幅方向の中間位置に形成した突条３５はＶ字状断面を備えていることが望ましい。そのＶ字の角度や大きさ、突条３５が連続か不連続か等は、そのサイズや使用目的等を勘案して適宜決定することができる。
【００２２】
図６ないし図１１に示すように、前記外固定枠３２はその一方の端部に前記押え枠３７が軸ネジ３８を介して回動可能に軸着されている。そして前記外固定枠３２のどちらかの端部、ちなみに図では他方の端部に止ピン用の取付孔３９が設けられ、前記押え枠３７の先端に設けた連通孔４０を前記取付孔３９に合う位置にくるよう押え枠３７を前記外固定枠３２内に押し込む。その上で、前記取付孔３９および連通孔４０に止ピン４１をはめ込むことにより、前記押え枠３７は前記外固定枠３２内に確実に保持される。
【００２３】
その際、前記押え枠３７にはリブ３７ｃを形成してあるので、前記羽根板３４の間に前記押え枠３７をくさび状に押し込む際に生じやすかった前記押え枠３７の中央部分が円弧状に変形するという問題は生じることがない。
また前記リブ３７ｃの下側端面で羽根板３４を押さえつけることができるため、羽根板３４が開く方向に負荷がかかっても羽根板３４が緩んだり、さらには外れたりするのを防止することができる。
前記羽根板３４も、前記外固定枠３２のどちらかの端部、ちなみに図では他方の端部において、止ピン４１の内側に軸ネジ４２を介して軸着することにより、回動可能に保持されている。
なお、図６ないし図１１において、４３は下向きフランジ３２ａの適所に軸４４を介して取り付けた取っ手である。
【００２４】
また前記押え枠３７は、図１２ないし図１５に示すように、長さ方向の適宜位置において前記外固定枠３２の外面との間に差し渡されたコ字状の中間止め金具５１によりその変形を防止することもできる。
すなわち、前記くさび状の押え枠３７の上端の薄肉の後端３７ｄの適所に金具用の孔５１ａを設け、前記外固定枠３２のテーパ状の内面から外れた、例えば左右一対の下向きフランジ３２ａの長さ方向の前記孔５１ａに対応する部位に孔５１ｂを設けておく。そして、コ字状の中間止め金具５１をその両端水平部を各孔５１ａおよび５１ｂに押し込んで、前記押え枠３７を前記外固定枠３２内に確実に保持するのである。
もちろん、このコ字状の中間止め金具５１と前記押え枠３７のリブ３７ｃとを組み合わせてもよい。
【００２５】
前記実施例においては、図１６に示すように、前記外固定枠３２の一方の端部に、前記押え枠３７を軸ネジ３８を介して回動可能に軸着し、前記外固定枠３２の他方の端部に前記羽根板３４が軸ネジ４２を介して回動可能に軸着してある。
これに対し、図１７の例では、前記外固定枠３２の一方の端部に、前記押え枠３７を軸ネジ３８を介して回動可能に軸着し、前記外固定枠３２の同じ側の端部に前記羽根板３４が軸ネジ４２を介して回動可能に軸着してある。
【００２６】
前記実施例に使用される外固定枠や押え枠、羽根板等の素材としては、アルミ等の金属や高密度ポリエチレンやポリプロピレン、ＡＢＳ樹脂等のプラスチック素材が好適に使用され、袋２１の素材やその開口部のサイズ、使用目的（内容物その他）等に応じて適宜決定することができる。
また弾性シートの素材も、合成ゴムやシリコンゴム、ウレタンゴム等のプラスチック発泡体等から適宜選択し、袋２１の素材やその開口部のサイズ、使用目的（内容物その他）、前記押え枠や羽根板との相性等に応じて決定することができる。
【００２７】
ちなみに前記袋止め用クリップ３１は気密性を高めた素材からなる袋２１の開口部に装着して使用されるが、前記袋２１の開口部とは別の位置に逆止弁を備えた通気栓を取り付けておけば、粉末状の食品やその他の物品を空気に触れさせないで保存することができる。
なお、前記逆止弁を備えた通気栓としては、本発明者の提案した特開２００９−１９０７７５号公報や特願２０１２−２１８９４７号の真空ポンプ機構を採用することができる。
そして、粉末状の食品やその他の物品を袋２１に充填して開口部を前記袋止め用クリップ３１により密閉し、その上で前記真空ポンプ機構を用いて袋２１内の空気を吸引して脱気すれば、袋２１内を無酸素状態で長期間保持することができるようになる。
本発明者が実験したところによれば、米や豆等の穀物、茶葉やシイタケ、魚介類等の生鮮食品やその乾物類、穀粉等を袋２１に詰めて真空ポンプ機構で脱気したところ、袋２１は充填物とともにカチカチに硬化した状態となり、１年以上経過してもカチカチの硬化した状態に保たれたままであって何ら気密性が損なわれることはなく、充填物には変色等も見られなかった。
【産業上の利用可能性】
【００２８】
この発明の袋止め用クリップによれば、食品等を収納するためのプラスチックフィルム製の袋や紙袋のみならず、金属箔やその他の種類の素材を積層した複合フィルム等の袋の開口部の閉止に有効に利用することができる。
なお、以上は収納する物品を主に食品や粉末状の食品として説明したが、食品以外の物品であっても、外気を遮断して密封シールする場合に本発明のクリップが利用できるのはいうまでもない。
【符号の説明】
【００２９】
２１  袋
３１  袋止め用クリップ
３２  外固定枠
３２ａ  下向きフランジ
３３  弾性シート
３４  羽根板
３５  突条
３６  ガイド片
３７  押え枠
３７ａ  薄肉部分
３７ｂ  厚肉部分
３７ｃ  リブ
３７ｄ  薄肉の後端
３８  軸ネジ
３９  取付孔
４０  連通孔
４１  止ピン
４２  軸ネジ
４３  取っ手
４４  軸
５１  中間止め金具
５１ａ  孔
５１ｂ  孔
【要約】
【課題】粉末状の食品やその他の物品を空気に触れさせないで保存するのに適した紙袋やプラスチックフィルム製袋用の袋止め用クリップを提供することを目的とする。
【解決手段】下向きに狭まるテーパ状の内面を備えた外固定枠と、
前記外固定枠のテーパ状の内面に配置された弾性シートと、
前記弾性シートの表面に沿って配置され、前記弾性シート側の面に長さ方向に沿って幅方向の中間位置に突条を形成した羽根板と、
前記羽根板の内面に沿って配置された断面がくさび状の押え枠とを備え、
前記外固定枠内に配置した弾性シートの内面に軟質シート製の袋の開口部を介在させ、さらに羽根板を配置した上、前記押え枠をくさび状に押し込むことにより、前記羽根板の突条が前記袋を介して弾性シートにかみ合い、前記袋の開口部を確実に密閉するようにした。
【選択図】図１【図１】
0005441203.tif 000002
【図２】
0005441203.tif 000003
【図３】
0005441203.tif 000004
【図４】
0005441203.tif 000005
【図５】
0005441203.tif 000006
【図６】
0005441203.tif 000007
【図７】
0005441203.tif 000008
【図８】
0005441203.tif 000009
【図９】
0005441203.tif 000010
【図１０】
0005441203.tif 000011
【図１１】
0005441203.tif 000012
【図１２】
0005441203.tif 000013
【図１３】
0005441203.tif 000014
【図１４】
0005441203.tif 000015
【図１５】
0005441203.tif 000016
【図１６】
0005441203.tif 000017
【図１７】
0005441203.tif 000018